(57)【要約】【課題】内容物を収容した容器本体を倒立状態で密閉できる上蓋を備え、上蓋に倒立状態に配置された容器本体を上蓋から容易に取り外すことができるキャップを提供する。【解決手段】スクイズ性を有する容器本体１２に装着されるキャップ１４であって、前記容器本体１２の口筒部１２ａの外周を包囲する包囲筒２４、前記包囲筒２４から突出した縮径部２２、前記容器本体１２内の内容物を吐出するための吐出口２１、および前記吐出口２１に設けられた逆止弁２８を備えた下蓋２０と、前記下蓋２０に対し、機械的な抵抗を伴わずに脱着可能な上蓋３０とを備え、前記上蓋３０は、前記吐出口２１と前記逆止弁２８との間の空間の気密を保持するシール部３５を有することを特徴とする。【選択図】図６
2018030607.tif 000002
【特許請求の範囲】
【請求項１】
スクイズ性を有する容器本体に装着されるキャップであって、
前記容器本体の口筒部の外周を包囲する包囲筒、前記包囲筒から突出した縮径部、前記容器本体内の内容物を吐出するための吐出口、および前記吐出口に設けられた逆止弁を備えた下蓋と、
前記下蓋に対し、機械的な抵抗を伴わずに脱着可能な上蓋とを備え、
前記上蓋は、前記吐出口と前記逆止弁との間の空間の気密を保持するシール部を有することを特徴とするキャップ。
【請求項２】
前記シール部は、前記吐出部の端部に接触する曲面を有することを特徴とする請求項１記載のキャップ。
【請求項３】
前記上蓋は、前記縮径部を受け入れ可能な非嵌合部を有することを特徴とする請求項１または２記載のキャップ。
【請求項４】
前記上蓋は、前記下蓋に嵌合して前記逆止弁の外側の空間の気密を保持することによって、前記逆止弁を閉弁状態に保持する嵌合部を、前記非嵌合部の反対側に有することを特徴とする請求項１〜３のいずれか１項記載のキャップ。
【請求項５】
前記逆止弁は、スリット弁であることを特徴とする請求項１〜４のいずれか１項記載のキャップ。
【発明の詳細な説明】
【技術分野】
【０００１】
本発明は、キャップに係り、特に、スクイズ容器における容器本体に装着されるキャップに関する。
【背景技術】
【０００２】
容器本体を押圧し、内容物の圧力を高めて吐出口から内容物を吐出する、いわゆるスクイズ容器は種々の用途に用いられている。スクイズ容器に収容された内容物は、一般的に倒立状態で吐出される。このため、スクイズ容器が倒立状態で保持されていれば、内容物を容器本体から円滑に吐出することができる。
【０００３】
チューブ状容器については、ヒンジを介して小蓋をキャップに設けることで、小蓋を開いたまま容器を倒立状態にすることが提案されている（例えば、特許文献１）。特許文献１のチューブ状倒立容器は、キャップの開閉といった煩わしさを排除して使用に備えることができる。しかも、特許文献１のチューブ状倒立容器は、流通・保管時に内容物がキャップから漏れるのを防ぐこともできる。
【０００４】
また、液体の食品や化粧品その他の流動性材料を収容し、倒立状態で設置可能な容器が提案されている（例えば、特許文献２）。特許文献２の容器は、キャップにヒンジを介して蓋部が設けられた倒立型ヒンジキャップ付き容器である。特許文献２の容器は、キャップがヒンジを介して設けられているので、蓋部を開けた状態で確実に係止され、この状態で衛生的に倒立させることができる。
【先行技術文献】
【特許文献】
【０００５】
【特許文献１】特開平８−２８２６９０号公報
【特許文献２】特開２００２−９６８４８号公報
【発明の概要】
【発明が解決しようとする課題】
【０００６】
上記特許文献１のチューブ状倒立容器におけるキャップは、小蓋の取り付けにヒンジを用いているため、小蓋の開閉を繰り返すとヒンジが破損するおそれがある。ヒンジが破損してしまうと、容器を倒立状態で保持することができない。しかも、特許文献１のチューブ状倒立容器は、倒立状態に設置した際の液漏れ防止が必ずしも十分ではない。同様の問題が、上記特許文献２の倒立型ヒンジキャップ付き容器においても生じる可能性がある。
【０００７】
そこで本発明は、内容物を収容した容器本体を倒立状態で密閉できる上蓋を備え、上蓋に倒立状態に配置された容器本体を上蓋から容易に取り外すことができるキャップを提供することを目的とする。
【課題を解決するための手段】
【０００８】
本発明に係るキャップは、スクイズ性を有する容器本体に装着されるキャップであって、前記容器本体の口筒部の外周を包囲する包囲筒、前記包囲筒から突出した縮径部、前記容器本体内の内容物を吐出するための吐出口、および前記吐出口に設けられた逆止弁を備えた下蓋と、前記下蓋に対し、機械的な抵抗を伴わずに脱着可能な上蓋とを備え、前記上蓋は、前記吐出口と前記逆止弁との間の空間の気密を保持するシール部を有することを特徴とする。
【発明の効果】
【０００９】
本発明によれば、キャップは、下蓋の吐出口と逆止弁との間の空間の気密を保持するシール部を有する上蓋とを備えている。上蓋のシール部が下蓋の吐出口の端部に接触することによって、下蓋の逆止弁の閉弁状態が保たれるので、上蓋は、内容物を収容した容器本体を倒立状態で密閉できる。
【００１０】
上蓋は、下蓋の逆止弁の閉弁状態を保つことができるのに加えて、機械的な抵抗を伴わずに下蓋に対して脱着可能である。容器本体は、機械的な抵抗を伴わずに下蓋を介して上蓋に倒立状態に配置することができるので、上蓋から容易に取り外すことが可能である。
【図面の簡単な説明】
【００１１】
【図１】本実施形態に係るキャップを容器本体に装着したスクイズ容器の側面図である。
【図２】図１に示したスクイズ容器から、キャップの上蓋を外した状態の側面図である。
【図３】容器本体に取り付けられた下蓋を示す端面図である。
【図４】上蓋を示す端面図である。
【図５】上蓋を示す斜視図であり、図５Ａは非嵌合部側からみた斜視図であり、図５Ｂは嵌合部側からみた斜視図である。
【図６】上蓋の非嵌合部で下蓋の逆止弁を閉弁状態に保持している状態を示す端面図である。
【図７】上蓋の嵌合部で下蓋の逆止弁を閉弁状態に保持している状態を示す端面図である。
【発明を実施するための形態】
【００１２】
以下、図面を参照して本発明の実施形態について詳細に説明する。
【００１３】
１．全体構成
図１に示すように本実施形態のキャップ１４は、スクイズ容器１０の容器本体１２に装着され、下蓋２０と上蓋３０とを有する。容器本体１２は、押圧されることで吐出口から内容物を吐出できる、いわゆるスクイズ性を有している。容器本体１２内に収容された内容物は、図２に示すように上蓋３０を外して下蓋２０の吐出口（図示せず）を目的の方向に向け、容器本体１２を押すことによって吐出させることができる。
【００１４】
下蓋２０は、容器本体１２内の内容物を吐出するために、図３に示すように容器本体１２の口筒部１２ａに取り付けられる。下蓋２０は、樹脂製の成型体であり、容器本体１２の口筒部１２ａの外周を包囲する包囲筒２４と、包囲筒２４から突出した縮径部２２と、容器本体１２の内容物（図示せず）を吐出する吐出口２１とを有している。本実施形態においては、包囲筒２４の内周面が容器本体１２の口筒部１２ａの外周面にねじ作用で嵌め合うように構成されている。
【００１５】
下蓋２０は、容器本体１２の口筒部１２ａの内周に接する固定筒２５と、包囲筒２４の外周を覆うスカート部２６とを、さらに有している。固定筒２５と包囲筒２４とで容器本体１２の口筒部１２ａを挟むことで、下蓋２０が容器本体２０に固定される。スカート部２６は、追って説明するように、肩部２６ａで上蓋３０の外筒３３の端部と噛み合うことができる。
【００１６】
下蓋２０の吐出口２１には、逆止弁２８を固定するための嵌め込み溝２２ａが設けられている。逆止弁２８は、嵌め込み端部２８ａを嵌め込み溝２２ａに嵌め込むことで、吐出口２１に設けられている。逆止弁２８は、通常は閉弁状態であり、順方向の圧力を受けた際に開弁状態となる。ここでの順方向とは、容器本体１２の内側から外側に向かう方向をさす。順方向の圧力を受けて逆止弁２８が開弁状態となることによって、容器本体１２内の内容物が吐出口２１から吐出される。
【００１７】
本実施形態においては、逆止弁２８としてスリット弁（ゴム弁）が用いられる。スリット弁は、十文字のスリット（図示せず）が形成された弾性体からなる制御弁であり、順方向の圧力を受けない限り閉弁状態である。スリット弁は、順方向の圧力を受けると弾性変形により反転してスリットが開くことで、開弁状態となる。容器本体１２内の内容物は、開かれたスリットを通って容器本体１２の外側に吐出される。
【００１８】
縮径部２２の外周には、係止突起２３が環状に形成されている。縮径部２２からスカート部２６につながる表面は、当接面２７となる。係止突起２３および当接面２７は、追って説明するように、上蓋３０（図１）で逆止弁２８を閉弁状態に保持する際、上蓋３０の所定の領域に接する。
【００１９】
上蓋３０は、図４に示すように、下向きに開口し、一体化された内筒３１、中筒３２および外筒３３を有している。上蓋３０も、下蓋２０と同様に樹脂製の成型体である。外筒３３の端部３３ａは、下蓋２０のスカート部２６の肩部２６ａに噛み合うように形成されている。
【００２０】
内筒３１は、下蓋２０の吐出口２１の内部に挿入される。内筒３１は、外周面が吐出口２１の内周面に接することで、逆止弁２８の外側（内筒３１側）の空間の気密を保持できる構成である。中筒３２は、内筒３１との間に下蓋２０の吐出口２１の先端を挟んで、固定できるように形成されている。上蓋３０の下側における中筒３２の内周面は、下蓋２０の縮径部２２の係止突起２３が係止する係止面３６となる。
【００２１】
上蓋３０の上側では、外筒３３と中筒３２とが傾斜した曲面でつながって、中筒３２の内周面を表面の一部とする凹部からなる非嵌合部３４が設けられている。上蓋３０は、非嵌合部３４で下蓋２０に対し機械的な抵抗を伴わずに脱着することができる。上蓋３０の中筒３２の内周面には、下蓋２０の一部と嵌め合って固定されるような凹凸構造は何ら設けられていない。このため、非嵌合部３４と下蓋２０との間には、機械的な抵抗は生じない。
【００２２】
非嵌合部３４は、底面３４ａにシール部３５を有している。シール部３５は、下蓋２０の吐出部２１の端部２１ａ（図３）に接触する曲面を有する。本実施形態においては、シール部３５は、曲面状突起で構成されている。
【００２３】
非嵌合部３４は、追って説明するように、下蓋２０の縮径部２２を受け入れることができる。この際、外筒３３から中筒３２につながる支持面３７は、下蓋２０の当接面２７を支持することができる。
【００２４】
図５Ａには、非嵌合部３４側から見た上蓋３０の斜視図を示す。図示するように、曲面状突起からなるシール部３５が確認される。上蓋３０の下側（非嵌合部３４の反対側）は、下蓋２０と嵌合して逆止弁２８の外側（内筒３１側）の空間の気密を保持することによって、逆止弁２８を閉弁状態に保持できる嵌合部３８である。図５Ｂには、嵌合部３８側から見た上蓋３０の斜視図を示す。高さの異なる３つの筒（内筒３１、中筒３２、外筒３３）が、同心円状に設けられている。
【００２５】
２．動作および効果
上蓋３０の非嵌合部３４は、図６に示すように下蓋２０の縮径部２２を受け入れることができる。上蓋３０に設けられたシール部３５は、下蓋２０の吐出口２１の端部２１ａに接触して、下蓋２０の吐出口２１と逆止弁２８との間の空間４０の気密を保持する。空間４０の気密が保持されるので、この間、逆止弁２８は順方向の圧力により反転しない。下蓋２０の縮径部２２を非嵌合部３４で受け入れた上蓋３０は、逆止弁２８を閉弁状態に保つことができる。
【００２６】
シール部３５によって下蓋２０の逆止弁２８が閉弁状態に保たれているので、内容物（図示せず）を収容した容器本体１２を倒立状態として上蓋３０で保持しても、内容物が吐出口２１から漏れ出すことはない。下蓋２０の吐出口２１に逆止弁２８が設けられていることによって、高粘度の内容物のみならず低粘度の内容物が収容された容器本体１２も、倒立状態として上蓋３０で保持することができる。
【００２７】
しかも、上蓋３０は、下蓋２０と嵌合することなく、支持面３７で下蓋２０の当接面２７を支持している。下蓋２０と上蓋３０とが嵌合していないことから、上蓋３０に倒立状態に保持された容器本体１２は、上蓋３０を押さえなくても上蓋３０から容易に取り外すことができる。容器本体１２を上蓋３０から取り外す際、容器本体１２は押圧されないので、内容物が意図せずに吐出されることはない。
【００２８】
上蓋３０の非嵌合部３４を用いることによって、容器本体１２を倒立状態で保持し、その容器本体１２を片手で容易に持ち上げて、即座に内容物を吐出させることが可能である。したがって、上蓋３０は、使用中の容器本体１２を仮置きするための台座として好適に用いることができる。
【００２９】
上蓋３０は、図７に示すように、嵌合部３８で下蓋２０に嵌合させることができる。この場合には、下蓋２０の吐出口２１の先端が、上蓋３０の内筒３１と中筒３２との間に挟まれて、下蓋２０の縮径部２２の係止突起２３が、上蓋３０の中筒３２の内周の係止面３６に係止する。上蓋３０の外筒３３の端部３３ａは、下蓋２０のスカート部２６の肩部２６ａに噛み合う。上蓋３０および下蓋２０は、この状態で固定されるような大きさおよび形状で作製されている。
【００３０】
上蓋３０の内筒３１の外周面は、下蓋２０の吐出口２１の内周面に接して、逆止弁２８の外側（内筒３１側）の空間４２の気密を保持する。逆止弁２８の外側の空間の気密が保持されていることによって、逆止弁２８は、順方向の圧力により反転することがないため、閉弁状態に保持される。上蓋３０が、嵌合部３８で下蓋２０に嵌合している場合も、逆止弁２８は閉弁状態に保持されている。このため、図７に示すようにキャップ１４が装着された容器本体１２を倒立状態としても、内容物が漏れ出すことはない。
【００３１】
３．変形例
本発明は上記実施形態に限定されるものではなく、本発明の趣旨の範囲内で適宜変更することが可能である。
【００３２】
上記実施形態においては、下蓋２０の包囲筒２４は、容器本体１２の口筒部１２ａにねじ作用で嵌め合う構成としたが、これに限定されない。下蓋２０の包囲筒２４は、容器本体１２の口筒部１２ａの外周を包囲できれば、任意の手法で容器本体１２に取り付けることができる。場合によっては、下蓋２０の包囲筒２４は、容器本体１２の口筒部１２ａに接着されていてもよい。
【００３３】
下蓋２０の吐出口２１に設けられる逆止弁２８としては、スリット弁に限らず、液体の背圧によって逆流を防止できる任意の構成の逆流防止弁を用いることができる。逆止弁２８は、吐出口２１に固定できれば、嵌め込み以外の方法で吐出口１２に取り付けることが可能である。
【００３４】
上蓋３０のシール部３５は、下蓋２０の吐出口２１と逆止弁２８との間の空間４０の気密を保持できれば、曲面状突起に限らず任意の形状とすることができる。例えば、吐出口２１の端部２１ａに接触する部分が曲面で環状の突起を、シール部３５として用いてもよい。
【００３５】
上蓋３０のシール部３５は、逆止弁２８の構造に合わせて適切な形状で構成すればよい。内筒３１の大きさ等についても同様に、逆止弁２８の構造に応じて適宜変更することができる。
【００３６】
上記実施形態においては、嵌合部３８と非嵌合部３４とが一体となった上蓋３０を示したが、嵌合部３８と非嵌合部３４とは、それぞれが別個の上蓋に設けられていてもよい。嵌合物３８が設けられた上蓋は、容器本体１２を封止するための専用の封止キャップとして用いることができる。一方、非嵌合部３４が設けられた上蓋は、使用中の容器本体１２を仮置きするための仮置き用台座として専用に用いることができる。
【符号の説明】
【００３７】
１２    容器本体
１２ａ  口筒部
１４    キャップ
２０    下蓋
２１    吐出口
２２    縮径部
２４    包囲筒
２８    逆止弁
３０    上蓋
３５    シール部
【図１】
2018030607.tif 000003
【図２】
2018030607.tif 000004
【図３】
2018030607.tif 000005
【図４】
2018030607.tif 000006
【図５】
2018030607.tif 000007
【図６】
2018030607.tif 000008
【図７】
2018030607.tif 000009